(57)【要約】【課題】解決しようとする課題は、工業部品の納入等に繰り返し使われるプラスチック段ボールの材料の剛性が高く、特許文献１に開示されているようなＹ字状の差込み切り欠きを手作業にて押し広げながら仕切り板を差し込むことは非常に困難であり、作業者の手に過酷な負担を強いるもので、作業者が腱鞘炎にもなりかねないという点である。【解決手段】プラスチック段ボールの相対する側面に二重壁構造を有し、該二重壁の外側に位置する内壁と上部にて連続し、一体化された該二重壁の内側に複数の垂直な仕切り溝を設け、該工業部品の寸法に合わせて任意の切れ目に仕切り板を差し込むことで前記課題を解決した。【選択図】図３
2009280272.tif 000002
【特許請求の範囲】
【請求項１】
プラスチック段ボールであって、相対する側面に二重壁構造を有し、該二重壁の外側に位置する内壁と上部にて連続し、一体化された該二重壁の内側に複数の垂直な仕切り溝を設けたことを特徴とする仕切り溝付きプラスチック段ボール。
【請求項２】
請求項１における仕切り溝に、差し込まれた仕切り板を有することを特徴とする請求項１記載の仕切り溝付きプラスチック段ボール。
【発明の詳細な説明】
【技術分野】
【０００１】
本発明は、工業部品の搬送、納入等に繰り返し使われる仕切り溝付きプラスチック段ボールに関する。
【背景技術】
【０００２】
仕切り板付き段ボールに関する従来技術としては特許文献１に開示されているようなものがある。
【特許文献１】特開２０００−６９５５号公報
【０００３】
しかし、特許文献１に開示されている仕切り板付き段ボールは、側面内板に予めＹ字状の差込み切り欠きを設けて、その切り欠きを手作業にて押し広げながら仕切り板を差し込むのであるから、紙製の段ボールならば材料の剛性が低く簡単に切り欠きを押し広げることができるが、プラスチック段ボールの場合には材料の剛性が高くその切り欠きを手作業にて押し広げながら仕切り板を差し込むことは非常に困難であり、作業者の手に過酷な負担を強いるもので、作業者が腱鞘炎にもなりかねないという問題があった。
【発明の開示】
【発明が解決しようとする課題】
【０００４】
解決しようとする課題は、工業部品の納入等に繰り返し使われるプラスチック段ボールの材料の剛性が高く、特許文献１に開示されているようなＹ字状の差込み切り欠きを手作業にて押し広げながら仕切り板を差し込むことは非常に困難であり、作業者の手に過酷な負担を強いるもので、作業者が腱鞘炎にもなりかねないという点である。本発明は上記の点を解決するためになされた。
【課題を解決するための手段】
【０００５】
上記目的を果たすため本発明は、プラスチック段ボールであって、相対する側面に二重壁構造を有し、該二重壁の外側に位置する内壁と上部にて連続し、一体化された該二重壁の内側に複数の垂直な仕切り溝を設けたことを最も主要な特徴とする。
【発明の効果】
【０００６】
本発明によれば、プラスチック段ボールの切れ目構成体の複数の切れ目の内、該工業部品の寸法に合わせて任意の切れ目に仕切り板を差し込むものであるから、工業部品を搬送、納入するに際して梱包空間に余計な隙間を生じさせることなく該工業部品を梱包することができるという効果がある。また、特許文献１に開示されている仕切り板付き段ボールのように、側面内板に予めＹ字状の差込み切り欠きを設けて、その切り欠きを手作業にて押し広げながら仕切り板を差し込む必要はなく、作業者の手に過酷な負担を強いることはないので、作業者が腱鞘炎になるおそれはないという利点もある。
【発明を実施するための最良の形態】
【０００７】
工業部品を搬送、納入するに際し、梱包空間に余計な隙間を生じさせることなく該工業部品を梱包するという目的を、プラスチック段ボールの相対する側面に二重壁構造を有し、該二重壁の外側に位置する内壁と上部にて連続し、一体化された該二重壁の内側に複数の垂直な仕切り溝を設け、該工業部品の寸法に合わせて任意の切れ目に仕切り板を差し込むことで、経済性を損なわずに実現した。
【実施例１】
【０００８】
本発明の構成を発明の実施の形態に基づいて説明すると次の通りである。
【０００９】
図１は、本発明の１実施例を示すプラスチック段ボール１用のブランク２の展開図である。３，３’は折り目線、１０は１組の切れ目構成体、１１は切れ目である。
【００１０】
該ブランク２を該折り目線３に沿って折り曲げ、箱状に組み立てられた該プラスチック段ボール１の斜視図を図２に示す。この状態では該折り目線３’はまだ折り曲げられていないため１組の該切れ目構成体１０は該プラスチック段ボール１の内壁１５の上方に開いたまま、相対することになる。
【００１１】
次に、該プラスチック段ボール１の該折り目線３’に沿って該切れ目構成体１０を該プラスチック段ボール１の内側に折り曲げ、１組の該切れ目構成体１０を該プラスチック段ボール１の該内壁１５にそれぞれ密着させる。図３はこの状態を表す斜視図である。
【００１２】
即ち、該プラスチック段ボール１の側面は該内壁１５と、折り曲げられた該切れ目構成体１０とにより二重壁構造となって、しかも相対しており、且つ該内壁１５と該切れ目構成体１０とは上部の該折り目線３’にて連続し、一体化されている。
【００１３】
加えて、該切れ目構成体１０には複数の該切れ目１１が垂直状態で備わっているため該切れ目１１を仕切り溝として用いることができる。
【００１４】
即ち、相対する側面に二重壁構造を有し、該二重壁の外側に位置する該内壁１５と上部にて連続し、一体化された該二重壁の内側に複数の垂直な仕切り溝を設けた状態となる。
【００１５】
図４は、該切れ目構成体１０（図４中には図示せず）の該切れ目１１に仕切り板２０を差し込もうとしている状態を表す斜視図である。該仕切り板２０の材質は該プラスチック段ボール１と同一でもよく、また異なっていても良い。この場合、複数ある該切れ目１１のいずれにも任意に差し込むことができる。
【００１６】
図５は、該仕切り板２０の差し込み完了の状態を表す斜視図である。
【００１７】
以上実施例に述べたように本発明によれば、切れ目構成体の複数の切れ目の内、該工業部品の寸法に合わせて任意の切れ目に仕切り板を差し込むものであるから、工業部品を搬送、納入するに際して梱包空間に余計な隙間を生じさせることなく該工業部品を梱包することができるという効果がある。また、特許文献１に開示されている仕切り板付き段ボールのように、側面内板に予めＹ字状の差込み切り欠きを設けて、その切り欠きを手作業にて押し広げながら仕切り板を差し込む必要はなく、作業者の手に過酷な負担を強いることはないので、作業者が腱鞘炎になるおそれもないという利点もある。
【産業上の利用可能性】
【００１８】
本発明は、工業部品の搬送、納入等で繰り返し使われるプラスチック段ボールに利用可能である。
【図面の簡単な説明】
【００１９】
【図１】本発明に係るプラスチック段ボール１のブランク２の展開図
【図２】本発明に係るブランク２を折り目線３に沿って折り曲げ、箱状に組み立てられたプラスチック段ボール１の斜視図
【図３】本発明に係る折り目線３’に沿って切れ目構成体１０をプラスチック段ボール１の内側に折り曲げ、該プラスチック段ボール１の内壁に密着させた状態を表す斜視図
【図４】本発明に係る切れ目構成体１０の切れ目１１に仕切り板２０を差し込もうとしている状態を表す斜視図
【図５】本発明に係る仕切り板２０の差し込み完了の状態を表す斜視図
【符号の説明】
【００２０】
１    プラスチック段ボール
２    ブランク
３，３’    折り目線
１０    切れ目構成体
１１    切れ目
１５    内壁
２０    仕切り板
【図１】
2009280272.tif 000003
【図２】
2009280272.tif 000004
【図３】
2009280272.tif 000005
【図４】
2009280272.tif 000006
【図５】
2009280272.tif 000007